(57)【要約】 【課題】  ＡＬＣ床版を基盤とした防振二重床において、重量床衝撃音に対する遮音性能を高める。【解決手段】  複数のＡＬＣ床版(５)(５)…を並べた基盤(１)上に防振支持脚(２)(２)…を介して床部材(３)を設置する。この床部材(３)は、パーティクルボード層(20)と、このパーティクルボード層(20)の上側に積層した硬質繊維板層(21)とを備え、硬質繊維板層(21)は、パーティクルボード層(20)における複数のパーティクルボード(25)(25)…を相互に連結するように、硬質繊維板(26)(26)…を隣接するパーティクルボード(25)(25)間に跨って固定してなる。【選択図】  図１
2005325598.tif 000002
【特許請求の範囲】
【請求項１】
基盤上に防振支持脚を介して複層構造の床部材を設置した防音二重床であって、前記基盤は、複数のＡＬＣ床版を並べてなり、前記床部材は、複数のパーティクルボードを敷き込んでなるパーティクルボード層と、このパーティクルボード層の上側に積層した硬質繊維板層とを備え、前記硬質繊維板層は、前記パーティクルボード層のパーティクルボードを相互に連結するように、複数の硬質繊維板を隣接するパーティクルボード間に跨って固定してなることを特徴とする防音二重床。
【請求項２】
前記パーティクルボード層の厚みを、２０〜３０ｍｍとした請求項１記載の防音二重床。
【請求項３】
前記硬質繊維板層の厚みを、５〜１５ｍｍとした請求項１又は２記載の防音二重床。
【請求項４】
前記硬質繊維板層の上側に、複数のパーティクルボードを敷き込んでなる別のパーティクルボード層を積層した請求項１乃至３のいずれかに記載の防音二重床。
【請求項５】
前記別のパーティクルボード層の上側に、複数の制振シートを敷き詰めてなる制振シート層を積層した請求項４記載の防音二重床。
【請求項６】
前記硬質繊維板層の上側に、複数の制振シートを敷き詰めてなる制振シート層を積層した請求項１乃至３のいずれかに記載の防音二重床。
【請求項７】
前記制振シート層の厚みを、５〜１５ｍｍとした請求項５又は６記載の防音二重床。
【請求項８】
前記防振支持脚は、硬度が５０〜７０度の防振ゴムを備えている請求項１乃至７のいずれかに記載の防音二重床。
【請求項９】
前記基盤の表面側において、その基盤のＡＬＣ床版を相互に連結するように、複数のパーティクルボードを隣接するＡＬＣ床版間に跨って固定した請求項１乃至８のいずれかに記載の防音二重床。
【請求項１０】
前記ＡＬＣ床版を、床梁間に落とし込んだ状態で配置して、このＡＬＣ床版上に、前記床梁との間に振動を許容する間隙を確保して前記床部材を設置するとともに、この床部材の上面を、前記床梁の上面に載置した一般床の床部材の上面と略同じ高さレベルに揃えるようにした請求項１乃至９のいずれかに記載の防音二重床。
【発明の詳細な説明】
【技術分野】
【０００１】
この発明は、主として集合住宅や戸建て住宅に設けられる重量床衝撃音の遮音性能に優れた防音二重床に関する。
【背景技術】
【０００２】
軽量鉄骨住宅の２階床の構築に際して、ＡＬＣ床版を用いる場合があるが、その重量床衝撃音の遮音性能はＬＨ−６５程度であることが多く、十分に満足できる遮音性能とは言えなかった。
【０００３】
遮音性能を向上させるための対策としては、例えば鋼製デッキに現場打ちコンクリートを打設して一体化させるデッキスラブ工法がある。ところが、デッキスラブ工法では、現場でのコンクリート打設を必要とするため、施工が大掛かりであって、品質も安定し難かった。また、床部分の重量が重くなり、現場も汚れ易いといった不具合があった。
【０００４】
この他の対策として、例えば特許文献１乃至３にも開示されているように、ＡＬＣ床版上に防振支持脚を介して床部材を設置した防音二重床が知られている。このような乾式の防音二重床を採用すれば、現場でのコンクリート打設を廃止して、上記のような不具合を解消することができる。
【０００５】
【特許文献１】特開平６−３３５８７号公報
【特許文献２】特開平６−６６０１５号公報
【特許文献３】特開２００１−１０７５４８号公報
【発明の開示】
【発明が解決しようとする課題】
【０００６】
しかしながら、上記のようにＡＬＣ床版を基盤として防音二重床を構築する場合、遮音性能の向上を十分に図れない場合が多く、特に重量床衝撃音に対する遮音性能についてはあまり期待できないのが実情であり、構造的に改良の余地があった。
【０００７】
また、防音二重床では、床仕上げ面が高くなる分だけ、室内における天井高さが低くなったり、周囲の一般床との間に段差が生じるといった不具合もあった。
【０００８】
この発明は、上記の不具合を解消して、複数のＡＬＣ床版を並べてなる基盤を備えた防音二重床において、特に重量床衝撃音に対する遮音性能を高め、また床仕上げ面の高さを抑えることを目的とする。
【課題を解決するための手段】
【０００９】
上記の課題を解決するため、この発明は、基盤上に防振支持脚を介して複層構造の床部材を設置した防音二重床であって、前記基盤は、複数のＡＬＣ床版を並べてなり、前記床部材は、複数のパーティクルボードを敷き込んでなるパーティクルボード層と、このパーティクルボード層の上側に積層した硬質繊維板層とを備え、前記硬質繊維板層は、前記パーティクルボード層のパーティクルボードを相互に連結するように、複数の硬質繊維板を隣接するパーティクルボード間に跨って固定してなることを特徴とする。
【００１０】
具体的に、前記パーティクルボード層の厚みを、２０〜３０ｍｍとしたり、前記硬質繊維板層の厚みを、５〜１５ｍｍとしている。
【００１１】
また、前記硬質繊維板層の上側に、複数のパーティクルボードを敷き込んでなる別のパーティクルボード層を積層したり、さらに前記別のパーティクルボード層の上側に、複数の制振シートを敷き詰めてなる制振シート層を積層している。さらにまた、前記硬質繊維板層の上側に、複数の制振シートを敷き詰めてなる制振シート層を積層している。
【００１２】
また、前記制振シート層の厚みを、５〜１５ｍｍとしている。さらに、前記防振支持脚は、硬度が５０〜７０度の防振ゴムを備えている。さらにまた、前記基盤の表面側において、その基盤のＡＬＣ床版を相互に連結するように、複数のパーティクルボードを隣接するＡＬＣ床版間に跨って固定している。
【００１３】
さらに、前記ＡＬＣ床版を、床梁間に落とし込んだ状態で配置して、このＡＬＣ床版上に、前記床梁との間に振動を許容する間隙を確保して前記床部材を設置するとともに、この床部材の上面を、前記床梁の上面に載置した一般床の床部材の上面と略同じ高さレベルに揃えるようにしている。
【発明の効果】
【００１４】
この発明の防音二重床においては、複数のＡＬＣ床版を並べてなる基盤であっても、遮音性能の向上を十分に図ることができ、特に重量床衝撃音に対する遮音性能を高めることができる。
【００１５】
また、床梁間に落とし込んだＡＬＣ床版上に床部材を設置することで、防音二重床を施工しているにもかかわらず、床仕上げ面の高さを低く抑えて、天井高さを十分に確保することができ、一般床との段差もなくすことができる。しかも、床部材と床梁との間に振動を許容する間隙を確保することで、遮音性能を損なうことなく、床仕上げ面の高さを抑えることができる。
【発明を実施するための最良の形態】
【００１６】
以下、この発明の実施形態を図面に基づいて詳細に説明する。この発明の一実施形態に係る防音二重床は、例えば軽量鉄骨住宅の２階床や集合住宅の床として採用されるもので、図１及び図２に示すように、基盤(１)上に複数の防振支持脚(２)(２)…を介して複層構造の床部材(３)を設置してなる。
【００１７】
基盤(１)は、複数のＡＬＣ床版(５)(５)…を図示しない床梁上に敷設することで構成されている。この基盤(１)の表面側においては、各ＡＬＣ床版(５)(５)…を相互に連結して一体化させるように、複数のパーティクルボードが(６)(６)…が隣接するＡＬＣ床版(５)(５)…間に跨って固定されている。なお、基盤(１)の厚みすなわちＡＬＣ床版(５)(５)…の厚みは、約１００ｍｍとされ、パーティクルボード(６)(６)…の厚みは、約１５ｍｍとされている。
【００１８】
防振支持脚(２)は、例えば略長方形状の支持プレート(10)と、この支持プレート(10)の略中央に取り付けた土台(11)とからなる。土台(11)は、防振ゴムからなり、その硬度が５０〜７０度、具体的には約６５度に設定されている。この防振支持脚(２)の高さは、約２５ｍｍに設定されている。
【００１９】
床部材(３)は、例えば第１パーティクルボード層(20)と、この第１パーティクルボード層(20)の上側に積層された硬質繊維板層(21)と、この硬質繊維板層(21)の上側に積層された第２パーティクルボード層(22)と、この第２パーティクルボード層(22)の上側に積層された制振シート層(23)と、この制振シート層(23)の上側に積層されたフローリング層(24)とを備えている。
【００２０】
第１パーティクルボード層(20)は、複数のパーティクルボード(25)(25)…を防振支持脚(２)(２)…の支持プレート(10)(10)…上に敷き込んでなる。この第１パーティクルボード層(20)の厚みは、２０〜３０ｍｍ、具体的には約２５ｍｍに設定されている。
【００２１】
硬質繊維板層(21)は、一般に「ハードボード」と称される複数の硬質繊維板(26)(26)…を第１パーティクルボード層(20)上に敷き詰めてなる。複数の硬質繊維板(26)(26)…は、第１パーティクルボード層(20)のパーティクルボード(25)(25)…を相互に連結して一体化させるように、隣接するパーティクルボード(25)(25)…間に跨って固定されている。この硬質繊維板層(21)の厚みは、５〜１５ｍｍ、具体的には約７ｍｍに設定されている。
【００２２】
第２パーティクルボード層(22)は、複数のパーティクルボード(27)(27)…を硬質繊維板層(21)上に敷き込んでなる。この第２パーティクルボード層(22)の厚みは、２０〜３０ｍｍ、具体的には約２５ｍｍに設定されている。
【００２３】
制振シート層(23)は、例えば複数のアスファルト系制振シート(28)(28)…を第２パーティクルボード層(22)上に敷き詰めてなる。この制振シート層(23)の厚みは、５〜１５ｍｍ、具体的には約６ｍｍに設定されている。
【００２４】
フローリング層(24)は、フローリング材(29)(29)…を敷き込んで制振シート層(23)上に敷き込んでなる。このフローリング層(24)の厚みは、５〜２０ｍｍ、具体的には約１２ｍｍに設定されている。
【００２５】
上記構成の防音二重床の施工に際しては、表面側にパーティクルボード(６)(６)…を敷き込んだ基盤(１)上に、複数の防振支持脚(２)(２)…を並べて、それら防振支持脚(２)(２)…の支持プレート(10)(10)…上に、図３及び図４に示すように、パーティクルボード(25)(25)…を順次敷き込んで第１パーティクルボード層(20)を形成する。なお、各パーティクルボード(25)(25)…は、その四隅を支持プレート(10)(10)…に載せるようにして敷き込まれる。
【００２６】
そして、図２に示すように、複数の硬質繊維板(26)(26)…を、第１パーティクルボード層(20)における隣接するパーティクルボード(25)(25)間に跨るようにして敷き詰めて、それら隣接するパーティクルボード(25)(25)に釘等の固定具で固定することで、硬質繊維板層(21)を形成する。これにより、第１パーティクルボード層(20)の各パーティクルボード(25)(25)…が相互に連結されて一体化し、その剛性を高めることができる。
【００２７】
続いて、硬質繊維板層(21)上に複数のパーティクルボード(27)(27)…を敷き込んで、第２パーティクルボード層(22)を形成するとともに、その第２パーティクルボード層(22)上に複数の制振シート(28)(28)に敷き詰めて、制振シート層(23)を形成する。そして、この制振シート層(23)上に複数のフローリング材(29)(29)…を敷き詰めて、フローリング層(24)を形成する。最後に、床部材(３)と壁(30)との間には、床部材(３)の振動を許容して、遮音性能に支障をきたさないようにするための隙間(31)が形成されているので、この隙間(31)を隠すようにして、壁(30)に幅木(32)を取り付ける。
【００２８】
このような防音二重床においては、重量床衝撃音に対する遮音性能を約１０ｄＢ改善することができ、遮音等級もＬＨ６５からＬＨ５５となって、２ランク向上することができる。
【００２９】
この発明は、上記実施形態に限定されるものではなく、例えば図５に示すように、床部材(35)の構造として、上側の第２パーティクルボード層(22)を廃止して、硬質繊維板層(21)上に制振シート層(23)を直接積層するようにしても良い。なお、その他の構成は、実施形態と同様であり、上記実施形態と同様の機能を有する部材については、同符号を付してある。
【００３０】
また、上記実施形態の防音二重床においては、床仕上げ面が高くなって、室内における天井高さが低くなったり、周囲の一般床との間に段差が生じることがあるので、これを改善するために、図６に示すような防音二重床としても良い。
【００３１】
すなわち、ＡＬＣ床版(５)(５)…を、床梁(40)(40)間に落とし込んだ状態で配置している。具体的には、床梁(40)(40)…のウエブにアングル(41)(41)…を介してＬ形支持プレート(42)(42)…を取り付けて、対向する一対のＬ形支持プレート(42)(42)にＡＬＣ床版(５)を載せるようにしている。そして、ＡＬＣ床版(５)に貫通させたボルト(43)(43)…及び取付金具(44)(44)…によって、ＡＬＣ床版(５)を支持プレート(42)(42)に固定している。
【００３２】
このようにして床梁(40)(40)間に落とし込んだＡＬＣ床版(５)(５)…上に防振支持脚(45)(45)…を配置して、それら防振支持脚(45)(45)…上に床部材(３)を設置している。この床部材(３)と床梁(40)(40)…の上フランジとの間には、床部材(３)の振動を許容する間隙(46)が確保されていて、遮音性能に支障をきたさないようになっている。また、床部材(３)の上面は、床梁(40)(40)…の上面に載置した一般床の床部材(50)の上面と略同じ高さレベルに揃えられている。従って、遮音性能を良好に維持しながら、床仕上げ面を低く抑えることができ、天井高さが低くなったり、一般床との間に段差が生じるといった不具合をなくすことができる。
【００３３】
なお、床部材(３)の代わりに、第２パーティクルボード層(22)を廃止した床部材(35)を用いて、その上面を一般床の床部材(50)の上面に揃えるようにしても良い。その他の構成は、上記実施形態と同様であり、上記実施形態と同様の機能を有する部材については、同符号を付してある。
【実施例】
【００３４】
この発明の防音二重床の重量床衝撃音に対する遮音性能を実験により確認した。この実験に際しては、図７に示すように、この発明の防音二重床を想定した２つの実施例、３つの比較例、防振二重床にせずにＡＬＣ床版のみからなる構造を用意して、これらを比較した。
【００３５】
比較例１の防音二重床は、ゴム硬度が６５度の防振支持脚によって床部材を支持し、床部材は、第１パーティクルボード層、制振シート層(６ｍｍ)、第２パーティクルボード層、制振シート層(１０ｍｍ)、フローリング層を下から順に積層した構造となっている。
【００３６】
比較例２の防音二重床は、比較例１の防振二重床から第２パーティクルボード層、制振シート層を廃止した構造となっている。
【００３７】
比較例３の防振二重床は、ゴム硬度が４０度の防振支持脚によって床部材を支持し、床部材は、第１パーティクルボード層、硬質繊維板層、第２パーティクルボード層、制振シート層、フローリング層を下から順に積層した構造となっている。
【００３８】
実施例１及び実施例２は、この発明に係る防音二重床である。実施例１では、ゴム硬度が６５度の防振支持脚によって床部材を支持し、床部材は、第１パーティクルボード層、硬質繊維板層、第２パーティクルボード層、制振シート層、フローリング層を下から順に積層した構造となっている。実施例２では、実施例１の防振二重床から第２パーティクルボード層を廃止した構造となっている。
【００３９】
これら各実施例、比較例、ＡＬＣ床版に対して、重量床衝撃音の遮音性能測定を実施したところ、図７に示すように、遮音等級がＬＨ−５５付近にあるのは、比較例３、実施例１及び２であった。
【００４０】
しかし、比較例３では、防振ゴム硬度が低くて、歩くと防振二重床が沈むような感覚があって実用に耐えない。
【００４１】
一方、比較例１及び２、ＡＬＣ床版では、遮音等級ＬＨ−５５付近を達成することができなかった。まず、比較例１と実施例１との違いは、第１パーティクルボード層の上に制振シート層を積層しているか、硬質繊維板層を積層しているかである。また、比較例２と実施例２との違いは、硬質繊維板層が有るか否かである。
【００４２】
制振シート層は、第１パーティクルボード層の上に載せてあるだけなので、剛性を高めることはないが、硬質繊維板層は、第１パーティクルボード層における複数のパーティクルボードを連結して一体化させるように、第１パーティクルボード層の上に釘等の固定具で固定しているので、比較例１及び２に比べて実施例１及び２の方が、剛性が高くなっている。従って、この剛性の違いが、遮音性能に大きく影響していることが判る。
【００４３】
さらに、比較例１では、１ｍ2あたりの重量が約９１ｋｇであるのに対して、実施例１では約７３ｋｇ、実施例２では約５３ｋｇとなっている。従って、実施例１及び２では、軽量化を実現しつつ、遮音性能も向上している。
【００４４】
具体的に、実施例１及び２では、図８に示すように、遮音等級がＬＨ−５５付近となって、ＡＬＣ床版だけのときよりも遮音等級が２ランク向上し、重量床衝撃音に対する遮音性能が約１０ｄＢ改善されている。
【図面の簡単な説明】
【００４５】
【図１】この発明の一実施形態に係る防音二重床の縦断面図である。
【図２】同じくその破断斜視図である。
【図３】床部材の施工手順を示す斜視図である。
【図４】床部材の施工手順を示す斜視図である。
【図５】別の実施形態に係る防音二重床の縦断面図である。
【図６】他の実施形態に係る防音二重床の縦断面図である。
【図７】防音二重床の重量床衝撃音に対する遮音性能測定の結果を示す図である。
【図８】防音二重床の重量床衝撃音に対する遮音性能測定の結果(実施例１及び３、ＡＬＣ床版)を示す図である。
【符号の説明】
【００４６】
(１)  基盤
(２)  防振支持脚
(３)(35)  床部材
(５)  ＡＬＣ床版
(６)(25)(27)  パーティクルボード
(20)  第１パーティクルボード層
(21)  硬質繊維板層
(22)  第２パーティクルボード層
(23)  制振シート層
(26)  硬質繊維板
(28)  制振シート
(40)  床梁
(46)  間隙
(50)  一般床の床部材
【図１】
2005325598.tif 000003
【図２】
2005325598.tif 000004
【図３】
2005325598.tif 000005
【図４】
2005325598.tif 000006
【図５】
2005325598.tif 000007
【図６】
2005325598.tif 000008
【図７】
2005325598.tif 000009
【図８】
2005325598.tif 000010